(57)【要約】【課題】苗供給装置の組み立て作業を容易にし、組み立てた後の搬送ローラの取り替え作業も支持枠を解体することなく行うことができる乗用型田植機を得る。【解決手段】苗供給装置２４の搬送ローラ３１が、筒状のローラ本体４０と、ローラ本体４０の左右から突出して支持枠３６に回動自在に挿入される左右の軸部３７，３７を有し、左右の軸部３７，３７を、前記ローラ本体４０内に設けた弾性体４５の弾性力に抗してローラ本体４０内に退動可能にする。  また、ローラ本体４０に、その両側部に大径の搬送部４１，４１と、搬送部４１，４１の間に小径の軸支部４２ａを設け、搬送部４１，４１の左右側面に設けた支持孔４６，４６と、小径の軸支部４２ａで軸部３７，３７を退動可能に支持する。  さらに、ローラ本体４０を軸方向に分割した二つの同一形状の分割体４３，４３で構成すると共に、左右の軸部３７，３７を同一形状で構成する。【選択図】図８
2011193821.tif 000002
【特許請求の範囲】
【請求項１】
支持枠（３６）の長手方向に複数の搬送ローラ（３１，３１・・・）を並設し、該搬送ローラ（３１，３１・・・）の回転により機外から苗を機体上に供給する苗供給装置（２４）を備えた乗用型田植機において、前記搬送ローラ（３１）は、筒状のローラ本体（４０）と、該ローラ本体（４０）の左右から突出して前記支持枠（３６）に回動自在に挿入される左右の軸部（３７，３７）を有し、前記左右の軸部（３７，３７）を、前記ローラ本体（４０）内に設けた弾性体（４５）の弾性力に抗してローラ本体（４０）内に退動可能に構成したことを特徴とする苗供給装置を備えた乗用型田植機。
【請求項２】
前記ローラ本体（４０）は、その両側部に大径の搬送部（４１，４１）と、該搬送部（４１，４１）の間に小径の軸支部（４２ａ）を有し、前記搬送部（４１，４１）の左右側面に設けた支持孔（４６，４６）と、前記小径の軸支部（４２ａ）とで前記軸部（３７，３７）を退動可能に支持することを特徴する請求項１に記載の苗供給装置を備えた乗用型田植機。
【請求項３】
前記搬送ローラ（３１）は、前記ローラ本体（４０）を軸方向に分割した二つの同一形状の分割体（４３，４３）で構成すると共に、左右の軸部（３７，３７）を同一形状で構成したことを特徴とする請求項２に記載の苗供給装置を備えた乗用型田植機。
【発明の詳細な説明】
【技術分野】
【０００１】
本発明は、機外から苗を機体上に供給する苗供給装置を備えた乗用型田植機に関する。
【背景技術】
【０００２】
従来、走行機体に苗供給コンベアを設けて、機外から走行機体上への苗の供給を容易化した乗用型田植機は知られている。（特許文献１）。
【先行技術文献】
【特許文献】
【０００３】
【特許文献１】特開２００６−１０９７７３号公報
【発明の概要】
【発明が解決しようとする課題】
【０００４】
上記苗供給コンベアの搬送ローラはローラ本体と、ローラ軸とが樹脂により一体的に成型されており、苗供給コンベアを組み立てる際に支持枠を構成する複数の支持体を同一形状の樹脂成型物とすることと相俟ってコンベアの軽量化及び、部材費のコストダウンには効果があるものの、組み立て時には左右の支持体に設けた軸支部に全てのローラを位置決めして挟み込み支持しなければならず、その組立性に改善の余地があった。
【課題を解決するための手段】
【０００５】
本発明は、支持枠（３６）の長手方向に複数の搬送ローラ（３１，３１・・・）を並設し、該搬送ローラ（３１，３１・・・）の回転により機外から苗を機体上に供給する苗供給装置（２４）を備えた乗用型田植機において、前記搬送ローラ（３１，３１・・・）は、筒状のローラ本体（４０）と、該ローラ本体（４０）の左右から突出して前記支持枠（３６）に回動自在に挿入される左右の軸部（３７，３７）を有し、前記左右の軸部（３７，３７）を、前記ローラ本体（４０）内に設けた弾性体（４５）の弾性力に抗してローラ本体（４０）内に退動可能に構成したことを特徴とする。
【０００６】
また、前記ローラ本体（４０）は、その両側部に苗と接する搬送部（４１，４１）と、該搬送部（４１，４１）の間に小径の軸支部（４２ａ）を有し、前記搬送部（４１，４１）の左右側面に設けた支持孔（４６，４６）と、前記小径の軸支部（４２ａ）とで前記軸部（３７，３７）を退動可能に支持することを特徴する。
【０００７】
そして、前記搬送ローラ（３１）は、前記ローラ本体（４０）を軸方向に分割した二つの同一形状の分割体（４３，４３）で構成すると共に、左右の軸部（３７，３７）を同一形状で構成したことを特徴とする。
【発明の効果】
【０００８】
本発明は、支持枠（３６）の長手方向に複数の搬送ローラ（３１，３１・・・）を並設し、該搬送ローラ（３１，３１・・・）の回転により機外から苗を機体上に供給する苗供給装置（２４）を備えた乗用型田植機において、前記搬送ローラ（３１，３１・・・）は、筒状のローラ本体（４０）と、該ローラ本体（４０）の左右から突出して前記支持枠（３６）に回動自在に挿入される左右の軸部（３７，３７）を有し、前記左右の軸部（３７，３７）を、前記ローラ本体（４０）内に設けた弾性体（４５）の弾性力に抗してローラ本体（４０）内に退動可能に構成したことにより、前記支持枠（３６）に搬送ローラ（３１，３１・・・）を組み込むにあたり、ローラ本体（４０）に対して軸部（３７，３７）を退動させて支持枠（３６）内に左右の軸部（３７，３７）の軸端部を挟み込み、軸端部と支持枠（３６）に設けた軸支部との位置が合致すると軸部（３７，３７）が前記支持枠（３６）の軸支部内に突出して搬送ローラが支持枠（３６）に回動可能に支持されるので、苗供給装置（２４）の支持枠（３６）を予め組み立てた後に複数の搬送ローラ（３１，３１・・・）を組み込むことができ、苗供給装置（２４）の組み立て作業が容易になり、また、組み立てた後の搬送ローラ（３１）の取り替え作業も支持枠（３６）を解体することなく行うことができる。
【０００９】
また、前記ローラ本体（４０）は、その両側部に苗と接する搬送部（４１，４１）と、該搬送部（４１，４１）の間に小径の軸支部（４２ａ）を有し、前記搬送部（４１，４１）の左右側面に設けた支持孔（４６，４６）と、前記小径の軸支部（４２ａ）とで前記軸部（３７，３７）を退動可能に支持したので、搬送ローラ（３１）と苗との摺動抵抗を軽減するために設けたローラ本体の小径部（４２）を軸部（３７，３７）の軸支、及び退動案内に兼用することができ、搬送ローラ（３１）の構造を徒らに複雑にすることなく取り付けの容易化を図ることができる。
【００１０】
さらに、搬送ローラ（３１）を、前記ローラ本体（４０）を軸方向に分割した二つの同一形状の分割体（４３，４３）で構成すると共に、左右の軸部（３７，３７）を同一形状で構成したので、部品の種類を極力減らしながら、その取り付けの容易化を図ることができる。
【図面の簡単な説明】
【００１１】
【図１】本発明の乗用型田植機の全体平面図である。
【図２】同上全体側面図である。
【図３】同上苗供給装置の非搬送姿勢を示す全体側面図である。
【図４】苗供給装置の斜視図である。
【図５】同上拡大側面図である。
【図６】同上拡大斜視図である。
【図７】（ａ）搬送ローラの外観斜視図である。搬送ローラの正面図である。（ｂ）搬送ローラの分解斜視図である。
【図８】（ａ）軸部の突出状態を示す搬送ローラの断面図である。（ｂ）軸部の退避状態を示す搬送ローラの断面図である。
【発明を実施するための形態】
【００１２】
次に、本発明の実施形態を図面に基づいて説明する。図１、図２は本発明の乗用型田植機を示す全体平面図、及び全体側面図であって、この乗用型田植機１は、左右一対の前輪２，２及び後輪３，３に支持された走行機体４を有し、走行機体４の後方に、昇降リンク機構５を介して植付作業機６が連結された構造となっている。
【００１３】
走行機体４の中央部には、座席７を備えており、該座席７の前方にはフロント操作パネル８が設けられている。該フロント操作パネル８にはステアリングハンドル９が突設されている。。
【００１４】
フロント操作パネル８には、主変速レバー１０が左右及び前後揺動自在に設けられている。該主変速レバー１０を揺動操作することにより、走行変速及び前後進の切り替えを行うことができる。
【００１５】
走行機体４のフロア１１からは、クラッチブレーキペダル１２が踏み込み操作自在に設けられており、該クラッチブレーキペダル１２の操作によって、走行機体４の走行開始、及び走行停止を操作する。
座席７の両側方には前記フロア１１よりも一段高い位置に苗供給用のステップ１３が形成されている。
【００１６】
前記フロント操作パネル８の前方にはエンジンを内装するボンネット１４が設けられており、エンジンのから取り出された動力は、油圧式無段変速装置を介してトランスミッションケース内の動力伝達機構に入力される。
【００１７】
トランスミッションケース内の動力伝達機構に入力された動力は植付動力と走行動力に分配され、走行動力は前輪２，２、及び後輪３，３を駆動し、植付動力は植付作業機６の植付装置１５を駆動する。
【００１８】
前記植付作業機６について詳述すると、昇降リンク機構５の後端部には作業機フレーム１６が横設されており、該作業機フレーム１６から上方に苗載せ台支持フレーム１７を延設し、苗載せ台１８の上部を左右摺動自在に支持している。
【００１９】
また、作業機フレーム１６の後下部には植付伝動ケース１９が後方へ向けて複数取り付けられており、該植付伝動ケース１９の後側には植付装置１５が設けられている。
【００２０】
また、植付伝動ケース１９の上面にはエプロン２０を介して苗載せ台１８の下端部が左右摺動自在に支持されており、下面には複数のフロート２１が左右方向に並設されている。
【００２１】
以上の構成により、乗用型田植機１は、フロート２１が圃場面を滑走するよう植付作業機６を走行機体に対して油圧昇降制御した状態で走行機体１を走行させながら植付装置６を駆動することによって、植付装置１５が苗載せ台１８上の苗を掻き取って圃場に植付ける。
【００２２】
一方、フロント操作パネル８の左右両側に形成されているフロントステップ２２の下方から前後一対の支柱２３，２３を外側上方に延出し、該支柱２３，２３の上端部に後述の苗供給装置２４を取り付ける取付部を設け、苗供給装置２４支持ステー２６を構成してる。
【００２３】
支持ステー２６について詳述すると、図４に示すように、前記前後の支柱２３，２３は、その上部を連結部材２７で連結し、上端部を屈曲させて機体外方に向けて延びる延設部２８，２８を形成しており、前後の支柱２３，２３に設けた当該延設部２８，２８には、夫々取付部としての取付ブラケット２９，２９が溶接されている。
【００２４】
前記支持ステー２６を介して走行機体４に固定コンベア２４ｍが固定され、該固定コンベア２４ｍの前後に可動コンベア２４ｆ，２４ｒを連結することにより、走行機体４の前方から後部に亘るコンベア状の苗供給装置２４が構成される。
【００２５】
苗供給装置２４について詳述すると、固定コンベア２４ｍは前記支持ステー２６の取付ブラケット２９，２９を介して走行機体４に固定され、前記フロント操作パネル８の側方に位置する。
【００２６】
可動コンベア２４ｆ，２４ｒは固定コンベア２４ｍの前端部と後端部に夫々回動ブラケット３０，３０を介して回動可能に連結されており、図２に示すような固定コンベア２４ｍの前後に可動コンベア２４ｆ，２４ｒが一直線状に並列する搬送姿勢と、図３に示すような固定コンベア２４ｍの上下方向に可動コンベア２４ｆ，２４ｒが縦列する非搬送姿勢に姿勢変更可能に構成されている。
【００２７】
前記搬送姿勢において、苗供給装置２４は前高後低状の傾斜姿勢となっており、マット苗Ｍを載置すると搬送ローラ３１，３１・・・がマット苗Ｍの自重で回転し、下流である走行機体４の後部にマット苗Ｍを搬送するように構成されており、また、苗供給装置２４前端部、又は後端部となる可動コンベア２４ｆ，２４ｒの端部にはマット苗Ｍの落下を防止するストッパ３２，３２が取り付けられている。
【００２８】
一方、前記非搬送姿勢において、各コンベア２４ｍ，２４ｆ，２４ｒは固定コンベア２４ｍを基準としてフロント操作パネル８の側方に縦列し、走行機体４の前端部からの突出を抑え、且つフロア１１の側方を解放するので、非作業時において運転の妨げにならず、またフロア１１への乗降を妨げない。
【００２９】
尚、固定コンベア２４ｍに対する可動コンベアの連結は、回動連結に限ることなく、各コンベア２４ｍ，２４ｆ，２４ｒ同士を着脱可能に連結するものでも良く、苗供給装置２４の非搬送姿勢において、固定コンベア２４ｍと可動コンベア２４ｆ，２４ｒの間に苗を載置可能な上下間隔を隔てて、従来のような多段の予備苗載せ台として使用できるようにしてもよい。
【００３０】
図４、図５、及び図６に示すように、各コンベア２４ｍ，２４ｆ，２４ｒは、前後方向に延びる左右一対の支持体３３，３３・・・を横方向の連結部材３４，３５、及び前記ストッパ３２，３２等によって連結固定することで支持枠３６を構成し、前記左右一対の支持体３３，３３・・・に所定間隔で搬送ローラ３１，３１・・・の左右の軸部３７，３７が回転自在に取り付けられた構造となっている。
【００３１】
前述の支持体３３，３３・・・は樹脂成型部材であり、図５の側面図において上下、及び左右が対象な形状となっており、上下中心線Ｏ上には前記連結部材３４，３５、及び前記ストッパ３２を取り付けるための取付部３８，３８・・・、及び前記搬送ローラ３１，３１・・・の軸部３７、３７を支持する軸支孔３９，３９・・・が複数並設されている。
尚、前記取付部３８，３８・・・は支持体３３の長手方向に亘って所定の間隔で設けられており、固定コンベア２４ｍを前記支持ステー２６の取付ブラケット２９，２９に取り付ける際の取付部、及び前記回動ブラケット２０，２０を取り付けるための取付部としても兼用される。
【００３２】
前記連結部材３４，３５はその両端部に前記左右の支持体３３，３３に取り付けるためのフランジ部３４ａ，３５ａを有し、該フランジ部３４ａ，３５ａと支持体３３，３３の取付部３８，３８とを螺合することによって左右の支持体３３，３３を一定の苗搬送幅で連結固定して支持枠３６を構成する。
【００３３】
上記のように各支持体３３，３３・・・を同一形状の樹脂成型部材とすること、及び各取付部３８，３８・・・を支持枠の上下中心線上に並設することにより、一種類の樹脂型で各支持体３３，３３・・・を成型することが可能となっている。
【００３４】
また、図７、及び図８に基いて前記搬送ローラ３１について詳述すると、各搬送ローラ３１，３１・・・は、ローラ本体４０の左右に被搬送物（マット苗Ｍ、またはマット苗Ｍを載置したトレー）の底面に接する搬送部４１，４１を有し、左右端部に前記支持体３３の軸支孔３９に挿入される軸部３７，３７を備えている。また前記搬送部４１，４１の間のローラ本体４０には搬送部４１，４１よりも小径な小径部４２が形成されており、ローラ本体４０と被搬送物との摩擦抵抗を減らし、マット苗Ｍを円滑に搬送できるように構成されている。
【００３５】
また、本発明の搬送ローラ３１は、そのローラ本体４０を軸方向に沿った断面で２分割形成しており、夫々の分割体４３，４３は同一形状で形成されている。
【００３６】
前記分割体４３は薄肉状の樹脂成型体であり、同一の成形型によって成型された二つの分割体の分割面４４を向かい合わせて接着することにより、中空筒状体のローラ本体４０を形成するが、分割面４４には所定間隔で接合用凸部４４ａ，４４ａ・・・、及び接合用凹部４４ｂ，４４ｂ・・・が形成されており、両者を向かい合わせると一方の分割体４３の接合用凸部４４ａと、他方の分割体４３の接合用凹部４４ｂとが対向するように配置されている。そして該接合用凸部４４ａを接合用凹部４４ｂに嵌合させて両分割体４３，４３同士を接着することでより強固にローラ本体４０を構成することができる。
【００３７】
また、両分割体４３，４３を接合することによって形成されるローラ本体４０の内部空間には前記軸部３７、３７、及び圧縮スプリング４５が内装される。
【００３８】
ローラ本体４０の左右端部から夫々突出する２本の軸部３７，３７は鋼材の丸棒から成り、その先端側は、二つの分割体４３，４３を接合することにって形成される支持孔４６，４６の内周面によって支持され、また、基端側は、前記小径部４２の内周面によって形成される軸支部４２ａによって軸方向に進退摺動可能に支持される。
【００３９】
また、前記小径部４２には、左右の軸部３７，３７の間に弾性体である前記圧縮スプリング４５が介挿されており、該圧縮スプリング４５によって左右の軸部３７，３７をローラ左右外方へ付勢する一方、前記左右軸部３７，３７の先端側にはＣピン４７，４７が嵌装されており、該Ｃピン４７，４７がローラ本体４０の左右内側面に当接することにより、弾性体（圧縮スプリング）４５の弾性力による軸部３７，３７の不要な突出を規制すると共にローラ本体４０から軸部３７が抜け落ちるのを防止している。
【００４０】
そして、図８（ａ）に示す突出状態の軸部３７，３７に弾性体４５の付勢力に抗して押圧力を加えてローラ本体４０内に押し込むことで図８（ｂ）に示すように退避状態にすることができ、押圧力を解除すると軸部３７，３７は再び前記突出状態に復帰する。
【００４１】
尚、軸部３７は鋼材に限ることなく、樹脂によって成型することによってより軽量化が可能となる。また、弾性体４５は圧縮スプリングに限ることなく軸部３７に対して付勢力を与えるものであれば良い。さらに本実施形態は軸部に嵌装したＣピン４７とローラ本体４０の左右内側面との当接で軸部３７の突出量を規制しているが軸部３７にピンを貫装したものや、軸部３７に鍔を一体的に形成して当接させるもの等であっても良い。
【００４２】
以上のように構成された本発明の苗供給装置２４を備えた乗用型田植機１は、その複数の苗搬送ローラ３１，３１・・・は、筒状のローラ本体４０と、該ローラ本体４０の左右から突出して前記支持枠３６に回動自在に挿入される左右の軸部３７，３７を有し、前記左右の軸部３７，３７を、前記ローラ本体４０内に設けた弾性体４５の弾性力に抗してローラ本体４０内に退動可能に構成したことにより、前記搬送ローラ３１，３１・・・を苗供給装置２４に装着する際には、支持体３３，３３・・・と連結部材３４，３５によって予め各コンベアの支持体３３，３３・・・を連結部材３４，３４・・・，３５，３５・・・で連結して苗供給装置２４の支持枠３６を予め組み立てた後に、軸部３７，３７を前記弾性体４５の弾性力に抗してローラ本体４０内に退動させて支持枠３６の左右の支持体３３，３３の間に搬送ローラ３１を挟み込み、軸部３７，３７と支持枠３６の左右の支持体３３，３３に設けた軸支孔３９，３９の位置が合致すると、前記弾性体４５の弾性力により軸部３７，３７が軸支孔３９，３９内に突出して搬送ローラ３１が支持枠３６に回動可能に支持されるので、苗供給装置２４の組み立て作業が容易になり、また、組み立てた後の搬送ローラ３１，３１・・・の取り替え作業は、支持体３３，３３の外方から軸支孔３９内の軸部３７，３７をローラ本体４０内に向けて押圧して軸部３７，３７を退動させて軸支孔３７，３７から抜くことで支持枠３６を解体することなく容易に行うことができる。
【００４３】
また、前記ローラ本体４０はその両側部に苗と接する搬送部４１，４１と、該搬送部４１，４１の間に小径の軸支部４２ａを有し、前記搬送部４１，４１の左右側面に設けた支持孔４６，４６と、前記小径の軸支部４２ａとで前記軸部３７，３７を退動可能に支持したので、搬送ローラ３１と被搬送物との摺動抵抗を軽減するために設けたローラ本体４０の小径部４２を軸部３７の軸支、及び退動案内に兼用することができ、搬送ローラ３１の構造を徒らに複雑にすることなく取り付けの容易化を図ることができる。
【００４４】
さらに、前記搬送ローラ３１，３１・・・は前記ローラ本体４０を軸方向に分割した二つの同一形状の分割体４３，４３で構成すると共に、左右の軸部３７，３７を同一形状で構成したので、部品の種類を極力減らしながら、その取り付けの容易化を図ることができる。
【符号の説明】
【００４５】
１    乗用型田植機
２４    苗供給装置
３１    搬送ローラ
３３    支持体
３６    支持枠
３７    軸部
４０    ローラ本体
４１    搬送部
４２    小径部
４２ａ    軸支部
４３    分割体
４５    弾性体（圧縮スプリング）
【図１】
2011193821.tif 000003
【図２】
2011193821.tif 000004
【図３】
2011193821.tif 000005
【図４】
2011193821.tif 000006
【図５】
2011193821.tif 000007
【図６】
2011193821.tif 000008
【図７】
2011193821.tif 000009
【図８】
2011193821.tif 000010